(57)【特許請求の範囲】
【請求項１】
浴槽と、この浴槽に隣接配置される洗い場パンと、前記浴槽と洗い場パンの周囲に立設される複数の壁パネルと、天面を塞ぐ天井パネルとで構成される浴室ユニットにおいて、
同一平面で隣り合った壁パネルの接合部分に、この接合部分を覆うように、縦長の湾曲パネルが取り付けられ、この湾曲パネルで壁面に突出円柱様の膨出部が形成され、前記湾曲パネルの一部が、開閉可能な扉体とされると共に、この扉体で覆われた膨出部の内部が収納部とされてなることを特徴とする浴室ユニット。
【発明の詳細な説明】
【０００１】
【発明の属する技術分野】
本発明は、屋内に浴室空間を構築するための浴室ユニットに関する。
【０００２】
【従来の技術】
屋内に浴室空間を構築するための浴室ユニットは、図６に示すように、浴槽１と、この浴槽１に隣接配置される洗い場パン２と、前記浴槽１と洗い場パン２の周囲に立設される複数の壁パネル３と、天面を塞ぐ天井パネル４とで構成されている。
【０００３】
ここにおいて従来の浴室ユニットでは、壁パネル３を並べて形成された壁面の適所に、照明器具１１が取り付けられ、物置用の棚１６もこの壁面に設けられていた。また、壁パネル３には、シャワーフック１２ａ，１２ｂが、上下２カ所に取り付けられ、カウンター６に設けられた湯水混合栓７から分岐したシャワーホース８先端のシャワーヘッド９を、このいずれかのシャワーフック１２ａ，１２ｂで係止するようにしていた。
【０００４】
さらにまた、この壁パネル３には、必要に応じて図示したようなハンドバー１７を固定するようにしていた。
【０００５】
なお、図６において符号３ｂは、壁パネル３，３同士の接合部分に生じた合せ目を示す。
【０００６】
【発明が解決しようとする課題】
上述した従来の浴室ユニットでは、壁面が平坦で、かつこの壁面には壁パネルの合わせ目が生じるので、見栄えが良くなかった。そのため、浴室ユニットの構成部材に人造大理石や琺瑯パネルなどの高級材を用いても、その質感の向上には限界があった。
【０００７】
また、この平坦な壁面には、照明器具が突出して設けられ、棚やシャワーホースも外部に露呈しているので、一層見苦しく、この面からも浴室ユニットの質感を損なうという問題点があった。
【０００８】
本発明は、上記従来の浴室ユニットが有していた問題点の解決を課題とする。
【０００９】
【課題を解決するための手段】
上記の課題を解決するために、本発明は、浴槽と、この浴槽に隣接配置される洗い場パンと、前記浴槽と洗い場パンの周囲に立設される複数の壁パネルと、天面を塞ぐ天井パネルとで構成される浴室ユニットにおいて、同一平面で隣り合った壁パネルの接合部分に、この接合部分を覆うように、縦長の湾曲パネルを取り付け、この湾曲パネルで壁面に突出円柱様の膨出部を形成してなることを特徴とする。
【００１０】
特に、上記構成に、湾曲パネルの一部を、開閉可能な扉体とすると共に、この扉体で覆われた膨出部の内部を収納部とした構成を加えたことを特徴とする。
【００１１】
なお、上記構成に、湾曲パネルの一部を、透明あるいは半透明体とし、この透明あるいは半透明体で覆われた膨出部の内部に照明器具を収納した構成を加えてもよい。
【００１２】
また、上記構成に、湾曲パネルにシャワーヘッドを係止するシャワーフック、あるいはシャワーヘッドをスライド可能に支持するスライドバーを取り付けると共に、このシャワーフックあるいはスライドバーの近傍にシャワーホースの挿通孔を設け、シャワーヘッドに連結されたシャワーホースが前記挿通孔を介して膨出部の内部に引き出し可能に収納されるようにした構成を加えてもよい。
【００１３】
【発明の実施の形態】
以下、本発明を図示した実施の形態に基づき詳細に説明する。なお、図において、従来例で示したものと同一のものには、同一符号を付している。
【００１４】
図１は、本発明に係る浴室ユニットの一実施形態を示した簡略図である。図示したように、この浴室ユニットの基本構成は、従来例において示したものと全く同様であり、浴槽１と、この浴槽１に隣接配置される洗い場パン２と、浴槽１と洗い場パン２を取り囲むようにその周囲に立設される複数の壁パネル３と、天面を塞ぐ天井パネル４とで構成されている。
【００１５】
そして、洗い場パン２の浴槽１が接した側の壁面にカウンター６が設けられ、このカウンター６に湯水混合栓７が取り付けられている。また、その後側の壁面には、この湯水混合栓７から分岐したシャワーホース８先端のシャワーヘッド９を係止するシャワーフック１２ａ，１２ｂが取り付けられている。
【００１６】
なお、図１において符号１０は鏡、１１は壁面に取り付けられた照明器具１１を示す。
【００１７】
ここにおいて、本発明の浴室ユニットでは、一つの壁面を構成した壁パネル３の接合個所、即ち、壁パネル３，３同士が直交した隅角部ではない同一平面で隣り合った個所に、その合せ目（図２の符号３ｂ参照）を覆い隠すように、外側に弧状に湾曲した縦長の湾曲パネル５を取り付け、この湾曲パネル５で壁面に柱状の膨出部３ａを形成している。
【００１８】
そして、この湾曲パネル５の下側を、図２に示すように開閉可能な扉体５ａとし、その内部に棚１３ａを設けて、ここをシャンプーや石鹸等の小物を収納するための収納部１３としたものである。
【００１９】
なお、この湾曲パネル５は、意匠の統一をはかる面から取り付けられる壁パネル３と同材の合成樹脂や琺瑯パネルなどで形成することが望ましいが、デザイン上のポイントとして、あえてこの壁パネル３とは異なる材質のものを用いて形成することとしても良い。
【００２０】
本発明の浴室ユニットは、上記の構成を有している。
【００２１】
したがって、本発明の浴室ユニットでは、壁面を構成した壁パネル３の合せ目３ｂが湾曲パネル５で、見えないように覆われ、しかもこの湾曲パネル５は、平坦な壁面にあたかも円柱の表面が突出しているかのような膨出部３ａを形成するので、見栄えが良くなると共に、浴室ユニット内の造形が立体的となり、従来には見られない質感を与えることができる。
【００２２】
さらに、本発明では、この膨出部３ａの内部空間を利用し、収納部１３を形成したので、シャンプーや石鹸などの小物を見えないように収納することができ、浴室内が整然と整理され、この面からも浴室ユニット内の美観が向上する。
【００２３】
図３は、本発明の他の実施形態を示した簡略図である。図示したように、この場合は、湾曲パネル５の上端寄りの所定範囲を透明あるいは半透明体５ｂで構成し、その内部に照明器具（図示せず）を収納している。したがって、照明器具が従来のように、壁面から突出せず、膨出部３ａに一体的に埋め込まれたようになり、その外観が良好となるものである。
【００２４】
図４は、本発明のさらに他の実施形態を示しており、この場合は、湾曲パネル５表面の上下２個所にシャワーヘッド９を係止するシャワーフック１４ａ，１４ｂを取り付けると共に、下側のシャワーフック１４ｂの近傍に、湾曲パネル５内に連通したシャワーホースの挿通孔５ｃを設け、膨出部３ｂの内部空間をこのシャワーホースの収納空間としたものである。なお、この場合、シャワーヘッド９に一端が取り付けられたシャワーホース（図示せず）の他端は、膨出部３ｂの内部から直接、あるいは場合によっては、壁パネル３の裏側を通ってカウンター６の裏側に引き出され、ここで湯水混合栓７と接続されている。
【００２５】
このようにすることにより、浴室内にシャワーホースが垂れ下がることがなく、浴室ユニット内の印象が整然としたものとなる。
【００２６】
なお、上記ではシャワーヘッド９を掛支するシャワーフック１４ａ，１４ｂを湾曲パネル５の表面の上下２個所に設けた例を示したが、同じ個所にこのシャワーフック１４ａ，１４ｂに代え、シャワーヘッド９をスライド可能に支持するスライドバー（図示せず）を取り付けることとしても良い。なお、この場合もスライドバー近傍の湾曲パネル５には、シャワーホースの挿通孔を設けておくこととする。
【００２７】
図５は、上述した湾曲パネル５の表面にハンドバー１５を取り付けた状態を示す斜視図である。このように湾曲パネル５で形成された膨出部３ａにハンドバー１５を取り付ければ、ハンドバー１５が壁面から突出した位置に保持されるので、洗い場パン２と浴槽１のいずれの側からもこのハンドバー１５を握り易くなる。また、その際、カウンター６に邪魔をされることなく、体を近づけることができ、この面からもハンドバー１５の使用性が良好になるものである。
【００２８】
以上のように本発明の浴室ユニットでは、壁面に膨出部３ａを形成し、その外観を向上させると共に、この膨出部３ａの内部を収納空間として有効に利用するものである。
【００２９】
なお、上記では、膨出部３ａに収納部１３を設けたものと、照明器具（図示せず）を収納したものと、シャワーホース（図示せず）を収納するようにしたものを、それぞれ個別に示したが、これらを組み合わせて用い、膨出部３ａが複数の収納機能を有するようにしても良い。
【００３０】
【発明の効果】
以上説明したように、本発明は、浴室ユニットの壁パネルが接合された個所に、湾曲パネルで膨出部を形成しているので、壁パネルの合わせ目がこの湾曲パネルで隠され、見栄えが良くなると共に、従来、平面で画一的な印象を与えがちであった浴室ユニットに、立体的な造形により、従来には見られない質感を与えることができるという効果がある。
【００３１】
特に、湾曲パネルの一部を、開閉可能な扉体とし、その内部にシャンプーや石鹸などの小物を収納できるようにしたので、浴室内が小物で煩雑にならないように整然と整理されるという効果がある。
【００３２】
なお、湾曲パネルの一部を、透明あるいは半透明体とし、その内部に照明器具を収納する構成を加えることにより、照明器具が目障りになることがなくなり、浴室内部の美観が向上し、浴室ユニットに従来には見られない質感が与えられるという効果がある。
【００３３】
また、湾曲パネルにシャワーヘッドを係止するシャワーフックやスライドバーを取り付けると共に、シャワーホースの挿通孔を設け、シャワーホースを膨出部から引き出すようにし、シャワーホースを膨出部の内部に収納できる構成を加えることにより、シャワーホースが目立たなくなり、従来のように浴室内にシャワーホースが見苦しく垂れ下がることがなくなり、美観が向上し、浴室ユニットに従来には見られない質感が与えられるという効果がある。
【図面の簡単な説明】
【図１】本発明に係る浴室ユニットの一実施形態を示した簡略図である。
【図２】図１の要部切欠斜視図である。
【図３】第二実施形態の簡略図である。
【図４】第三実施形態の簡略図である。
【図５】第四実施形態の要部斜視図である。
【図６】浴室ユニットの従来例を示した簡略図である。
【符号の説明】
１  浴槽
２  防水パン
３  壁パネル
３ａ  膨出部
３ｂ  合せ目
４  天井パネル
５  湾曲パネル
５ａ  扉体
５ｂ  透明あるいは半透明体
６  カウンター
７  湯水混合栓
８  シャワーホース
９  シャワーヘッド
１３  収納部
１４ａ，１４ｂ  シャワーフック
１５  ハンドバー
【図１】
0004707219.tif 000002
【図２】
0004707219.tif 000003
【図３】
0004707219.tif 000004
【図４】
0004707219.tif 000005
【図５】
0004707219.tif 000006
【図６】
0004707219.tif 000007